(57)【要約】【課題】貨幣の入金を効率的かつ適正に行うことが可能な貨幣処理システム、貨幣処理装置および貨幣処理方法を提供する。【解決手段】貨幣処理システムは、貨幣が収納される収納部（第１損券収納部）と、貨幣を撮像する撮像部（読取部）と、記憶部４６０と、制御部４５０と、を備える。制御部４５０は、貨幣を収納部へ収納させる入金処理を行い、当該入金処理において、収納される貨幣を撮像部に撮像させ、撮像された貨幣の画像に対応付けられる少なくとも金種を含む第１貨幣情報の入力を受け付け、前記貨幣の画像と当該画像に対して受け付けた前記第１貨幣情報とを対応付けて記憶部に記憶させ、入金処理が行われる前に、その入金対象となる貨幣に係る少なくとも金種および枚数を含む第２貨幣情報の入力を受け付け、受け付けた第２貨幣情報を記憶部４６０に記憶させる情報入力処理を行う。【選択図】図６
2019215833.tif 000002
【特許請求の範囲】
【請求項１】
貨幣が収納される収納部と、
貨幣を撮像する撮像部と、
記憶部と、
制御部と、を備え、
前記制御部は、
貨幣を前記収納部へ収納させる入金処理を行い、当該入金処理において、収納される貨幣を前記撮像部に撮像させ、撮像された貨幣の画像に対応付けられる少なくとも金種を含む第１貨幣情報の入力を受け付け、前記貨幣の画像と当該画像に対して受け付けた前記第１貨幣情報とを対応付けて前記記憶部に記憶させ、
前記入金処理が行われる前に、その入金対象となる貨幣に係る少なくとも金種および枚数を含む第２貨幣情報の入力を受け付け、受け付けた前記第２貨幣情報を前記記憶部に記憶させる情報入力処理を行う、
ことを特徴とする貨幣処理システム。
【請求項２】
報知部をさらに備え、
前記制御部は、
前記情報入力処理において、前記第２貨幣情報を識別情報に対応付けて前記記憶部に記憶させ、
前記入金処理において、前記識別情報の入力を受け付け、前記入金処理により入金された貨幣の情報が、受け付けた前記識別情報に対応付けられた前記第２貨幣情報に含まれる貨幣の情報と一致しない場合に、前記報知部により警告報知を行う、
ことを特徴とする請求項１に記載の貨幣処理システム。
【請求項３】
前記収納部および前記撮像部を有し、前記入金対象となる貨幣が入金される第１貨幣処理装置と、
前記入金対象となる貨幣でない他の貨幣が入金される第２貨幣処理装置と、を備える、
ことを特徴とする請求項１または２に記載の貨幣処理システム。
【請求項４】
一つの入金取引の対象に前記入金対象となる貨幣と前記他の貨幣とが含まれる場合に、前記制御部は、前記他の貨幣に係る取引情報と対応付けて前記第２貨幣情報を前記記憶部に記憶させる、
ことを特徴とする請求項３に記載の貨幣処理システム。
【請求項５】
一つの入金取引の対象に前記入金対象となる貨幣と前記他の貨幣とが含まれる場合に、前記制御部は、前記他の貨幣が前記第２貨幣処理装置に入金される際に、前記情報入力処理を行う、
ことを特徴とする請求項３または４に記載の貨幣処理システム。
【請求項６】
前記制御部は、所定のタイミングにおいて、前記入金処理による入金が行われていない前記入金対象の貨幣の存否をチェックする、
ことを特徴とする請求項１ないし５の何れか一項に記載の貨幣処理システム。
【請求項７】
前記制御部は、前記情報入力処理において、前記入金対象となる貨幣が入金されるまでの貨幣の保管場所に係る情報の入力を受け付ける、
ことを特徴とする請求項１ないし６の何れか一項に記載の貨幣処理システム。
【請求項８】
印字部をさらに備え、
前記制御部は、前記第２貨幣情報を前記印字部により印字媒体に印字させる、
ことを特徴とする請求項１ないし７の何れか一項に記載の貨幣処理システム。
【請求項９】
貨幣が収納される収納部と、
貨幣を撮像する撮像部と、
制御部と、を備え、
前記制御部は、
貨幣を前記収納部へ収納させる入金処理を行い、当該入金処理において、収納される貨幣を前記撮像部に撮像させ、撮像された貨幣の画像に対応付けられる少なくとも金種を含む第１貨幣情報の入力を受け付け、前記貨幣の画像と当該画像に対して受け付けた前記第１貨幣情報とを対応付けて前記記憶部に記憶させ、
前記入金処理が行われる前に、その入金対象となる貨幣に係る少なくとも金種および枚数を含む第２貨幣情報の入力を受け付け、受け付けた前記第２貨幣情報を記憶部に記憶させる情報入力処理を行う、
ことを特徴とする貨幣処理装置。
【請求項１０】
貨幣を収納部へ収納させる入金処理を行い、当該入金処理において、収納される貨幣を撮像部により撮像し、撮像された貨幣の画像に対応付けられる少なくとも金種を含む第１貨幣情報の入力を受け付け、前記貨幣の画像と当該画像に対して受け付けた前記第１貨幣情報とを対応付けて記憶部に記憶し、
前記入金処理が行われる前に、その入金対象となる貨幣に係る少なくとも金種および枚数を含む第２貨幣情報の入力を受け付け、受け付けた前記第２貨幣情報を前記記憶部に記憶する情報入力処理を行う、
ことを特徴とする貨幣処理方法。
【発明の詳細な説明】
【技術分野】
【０００１】
本発明は、貨幣を処理する貨幣処理システムおよび貨幣処理装置に関する。また、本発明は、これら貨幣処理システムおよび貨幣処理装置に用いて好適な貨幣処理方法に関する。
【背景技術】
【０００２】
従来、通常の紙幣（正常な紙幣）を取り扱う紙幣処理装置（バラ紙幣処理装置、束紙幣処理装置）に加えて、損券（破れた紙幣、汚れた紙幣）、旧券等の市場流通に適さない特殊な紙幣を取り扱う有価媒体処理装置を備える貨幣処理システムが知られている。たとえば、このような貨幣処理システムの一例が、特許文献１に開示されている。
【０００３】
特許文献１の貨幣処理システムでは、損券等の紙幣が有価媒体処理装置に入金されて収納される際、それら紙幣が撮像部により撮像される。撮像された紙幣の画像は、紙幣の刷種および金種に関する候補とともに操作表示部に表示される。操作者は、紙幣の画像を見ながら、その紙幣の刷種および金種を複数の候補の中から選択する。紙幣の刷種および金種が選択されると、これら情報が画像に紐付けられて記憶部に記憶される。また、このとき入金された貨幣の在高（金種、枚数等）が、貨幣処理システムに収納された貨幣の在高に加えられる。
【０００４】
また、特許文献１の貨幣処理システムでは、バラ紙幣処理装置に取り込まれた紙幣の中に損券等の紙幣が含まれていた場合、それら紙幣がバラ紙幣処理装置から排出される。排出された紙幣は、有価媒体処理装置に投入されるが、このとき、操作者は、それら紙幣を即時に投入するか、後ほど投入するかを選択することができる。
【０００５】
有価媒体処理装置へ紙幣が入金される場合、上述のように、紙幣の画像を取り込んでその画像に対応する情報を入力する操作を要するため、入金時間が長くなりやすい。よって、操作者は、たとえば、貨幣処理システムへの入金業務が込み合っているときには、有価媒体処理装置への紙幣の入金を即時に行わず、入金業務が落ち着いた後に行う。
【先行技術文献】
【特許文献】
【０００６】
【特許文献１】特開２０１３−１９６０１３号公報
【発明の概要】
【発明が解決しようとする課題】
【０００７】
上記のように、有価媒体処理装置への紙幣の入金が即時に行われない場合、操作者が、後の入金を忘れてしまい、そのことに気付かないままになってしまうことが懸念される。また、後に入金される紙幣の保管が適正になされなかったような場合に、枚数や金額の誤った紙幣の入金が行われてしまうことが懸念される。
【０００８】
なお、貨幣処理システムが、通常の硬貨を取り扱う硬貨処理装置に加えて、損貨、記念貨等の特殊な硬貨を取り扱う特殊硬貨処理装置を備えるような場合も、特殊な硬貨の入金に関して、上記と同様な課題が生じ得る。
【０００９】
かかる課題に鑑み、本発明は、貨幣の入金を効率的かつ適正に行うことが可能な貨幣処理システム、貨幣処理装置および貨幣処理方法を提供することを目的とする。
【課題を解決するための手段】
【００１０】
本発明の第１の態様は、貨幣処理システムに関する。この態様に係る貨幣処理システムは、貨幣が収納される収納部と、貨幣を撮像する撮像部と、記憶部と、制御部と、を備える。ここで、前記制御部は、貨幣を前記収納部へ収納させる入金処理を行い、当該入金処理において、収納される貨幣を前記撮像部に撮像させ、撮像された貨幣の画像に対応付けられる少なくとも金種を含む第１貨幣情報の入力を受け付け、前記貨幣の画像と当該画像に対して受け付けた前記第１貨幣情報とを対応付けて前記記憶部に記憶させる。さらに、前記制御部は、前記入金処理が行われる前に、その入金対象となる貨幣に係る少なくとも金種および枚数を含む第２貨幣情報の入力を受け付け、受け付けた前記第２貨幣情報を前記記憶部に記憶させる情報入力処理を行う。
【００１１】
たとえば、入金処理の対象となる貨幣には、損券（損傷紙幣）、旧券（旧紙幣）、損貨（損傷硬貨）、旧貨（旧硬貨）および記念貨（記念硬貨）のうち、少なくとも何れか一つが含まれる。
【００１２】
上記の構成によれば、係員が、貨幣を受け取った後早い時期に、第２貨幣情報の入力を行い、その後時間をおいて、収納部への実際の貨幣の入金、即ち収納を行うことができる。これにより、貨幣処理システムの入金業務が混み合っているときに、収納部への実際の入金時に必要となる、画像の取り込みおよび画像への第１貨幣情報の対応付けという、長い時間を要する処理が行われないようにできる。よって、入金業務が滞ることを生じにくくできる。
【００１３】
したがって、貨幣処理システムへの貨幣の入金を、業務状況等に応じて、効率的かつ適正に行うことが可能となる。
【００１４】
本態様に係る貨幣処理システムにおいて、報知部をさらに備えるような構成が採られ得る。この場合、前記制御部は、前記情報入力処理において、前記第２貨幣情報を識別情報に対応付けて前記記憶部に記憶させる。そして、前記制御部は、前記入金処理において、前記識別情報の入力を受け付け、前記入金処理により入金された貨幣の情報が、受け付けた前記識別情報に対応付けられた前記第２貨幣情報に含まれる貨幣の情報と一致しない場合に、前記報知部により警告報知を行う。
【００１５】
上記の構成によれば、係員は、入金処理により誤った貨幣の入金が行われた場合に、そのことを警告報知により知ることができる。これにより、誤った貨幣の入金が行われることを防止できる。
【００１６】
本態様に係る貨幣処理システムにおいて、前記収納部および前記撮像部を有し、前記入金対象となる貨幣が入金される第１貨幣処理装置と、前記入金対象となる貨幣でない他の貨幣が入金される第２貨幣処理装置と、を備えるような構成が採られ得る。
【００１７】
このような構成において、一つの入金取引の対象に前記入金対象となる貨幣と前記他の貨幣とが含まれる場合に、前記制御部は、前記他の貨幣に係る取引情報と対応付けて前記第２貨幣情報を前記記憶部に記憶させ得る。
【００１８】
たとえば、他の貨幣には、損券（損傷紙幣）、旧券（旧紙幣）、損貨（損傷硬貨）、旧貨（旧硬貨）および記念貨（記念硬貨）でない正常の貨幣が含まれる。
【００１９】
上記の構成によれば、一つの入金取引の対象に第１貨幣処理装置への入金対象の貨幣と第２貨幣処理装置へ入金される他の貨幣とが含まれる場合に、入金対象の貨幣の第１貨幣処理装置への入金が、他の貨幣の第２貨幣処理装置への入金よりも遅れて行われても、係員は、これら入金対象の貨幣と他の貨幣とが同じ入金取引に含まれるものであることの把握が可能となる。
【００２０】
また、上記のような構成において、一つの入金取引の対象に前記入金対象となる貨幣と前記他の貨幣とが含まれる場合に、前記制御部は、前記他の貨幣が前記第２貨幣処理装置に入金される際に、前記情報入力処理を行い得る。
【００２１】
上記の構成によれば、一つの入金取引の対象に第１貨幣処理装置への入金対象の貨幣と第２貨幣処理装置へ入金される他の貨幣とが含まれる場合に、係員は、入金対象の貨幣に係る第２貨幣情報の入力を、他の貨幣の第２貨幣処理装置への入金と一連の手続きとして行うことができるので、入金取引についての運用が行いやすくなる。
【００２２】
本態様に係る貨幣処理システムにおいて、前記制御部は、所定のタイミングにおいて、前記入金処理による入金が行われていない前記入金対象の貨幣の存否をチェックするような構成とされ得る。
【００２３】
上記の構成によれば、入金処理による入金が行われていない場合に、その旨を報知するなどの所定の対策を講じることができ、入金が行われないままとなることを防止できる。
【００２４】
本態様に係る貨幣処理システムにおいて、前記制御部は、前記情報入力処理において、前記入金対象となる貨幣が入金されるまでの貨幣の保管場所に係る情報の入力を受け付けるような構成とされ得る。
【００２５】
上記の構成によれば、保間場所の表示部への表示や用紙への印字を行うことが可能となり、係員が保管場所の確認を行うことが可能となる。
【００２６】
本態様に係る貨幣処理システムにおいて、印字部をさらに備えるような構成が採られ得る。この場合、前記制御部は、前記第２貨幣情報を前記印字部により印字媒体に印字させる。
【００２７】
上記の構成によれば、係員は、情報入力処理の後、入金処理による入金を忘れていても、所持した印字媒体に気づくことで、思い出すことが可能となる。
【００２８】
本発明の第２の態様は、貨幣処理装置に関する。この態様に係る貨幣処理装置は、貨幣が収納される収納部と、貨幣を撮像する撮像部と、制御部と、を備える。ここで、前記制御部は、貨幣を前記収納部へ収納させる入金処理を行い、当該入金処理において、収納される貨幣を前記撮像部に撮像させ、撮像された貨幣の画像に対応付けられる少なくとも金種を含む第１貨幣情報の入力を受け付け、前記貨幣の画像と当該画像に対して受け付けた前記第１貨幣情報とを対応付けて前記記憶部に記憶させる。さらに、前記制御部は、前記入金処理が行われる前に、その入金対象となる貨幣に係る少なくとも金種および枚数を含む第２貨幣情報の入力を受け付け、受け付けた前記第２貨幣情報を記憶部に記憶させる情報入力処理を行う。
【００２９】
上記の構成によれば、第１の態様と同様の効果が奏され得る。
【００３０】
本発明の第３の態様は、貨幣処理方法に関する。この態様に係る貨幣処理方法は、貨幣を収納部へ収納させる入金処理を行い、当該入金処理において、収納される貨幣を撮像部により撮像し、撮像された貨幣の画像に対応付けられる少なくとも金種を含む第１貨幣情報の入力を受け付け、前記貨幣の画像と当該画像に対して受け付けた前記第１貨幣情報とを対応付けて記憶部に記憶し、前記入金処理が行われる前に、その入金対象となる貨幣に係る少なくとも金種および枚数を含む第２貨幣情報の入力を受け付け、受け付けた前記第２貨幣情報を前記記憶部に記憶する情報入力処理を行う。
【００３１】
上記の構成によれば、第１の態様と同様の効果が奏され得る。
【発明の効果】
【００３２】
上記のように、本発明によれば、貨幣の入金を効率的かつ適正に行うことが可能な貨幣処理システム、貨幣処理装置および貨幣処理方法を提供できる。
【００３３】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３４】
【図１】図１は、実施形態に係る、貨幣処理システムの外観を示す正面図である。
【図２】図２は、実施形態に係る、有価媒体処理装置の内部構成を示す概要図である。
【図３】図３は、実施形態に係る、有価媒体処理装置の主たる構成を示すブロック図である。
【図４】図４は、実施形態に係る、特殊硬貨処理装置の構成を示す斜視図である。
【図５】図５は、実施形態に係る、特殊硬貨処理装置の構成を示すブロック図である。
【図６】図６は、実施形態に係る、操作端末の構成を示すブロック図である。
【図７】図７は、実施形態に係る、情報入力処理を示すフローチャートである。
【図８】図８（ａ）〜（ｃ）は、それぞれ、実施形態に係る、操作端末の操作表示部に表示される入金メニュー画面、金種および枚数の入力前の情報入力画面、並びに、金種および枚数の入力後の情報入力画面を示す図である。
【図９】図９（ａ）〜（ｃ）は、それぞれ、実施形態に係る、操作端末の操作表示部に表示される明細印字画面、金種および枚数の入力前の保管場所選択画面、並びに、金種および枚数の入力後の保管場所選択画面を示す図である。図９（ｄ）は、実施形態に係る、明細が印字されたジャーナルを示す図である。
【図１０】図１０は、実施形態に係る、後読取入金処理を示すフローチャートである。
【図１１】図１１（ａ）〜（ｃ）は、それぞれ、実施形態に係る、操作端末の操作表示部に表示されるメニュー画面、セット要求画面および入金処理画面を示す図である。
【図１２】図１２（ａ）〜（ｃ）は、それぞれ、実施形態に係る、操作端末の操作表示部に表示される入力確認画面、明細印字画面およびエラー画面を示す図である。
【図１３】図１３（ａ）は、実施形態に係る、警告報知処理を示すフローチャートであり、図１３（ｂ）、（ｃ）は、それぞれ、実施形態に係る、警告報知処理において操作表示部に表示される画面を示す図である。
【図１４】図１４（ａ）〜（ｄ）は、変更例１に係る、先読取入金機能について説明するための図である。
【図１５】図１５は、その他の変更例に係る、有価媒体処理装置の構成を示すブロック図である。
【発明を実施するための形態】
【００３５】
以下、本発明の実施形態について、図面を参照して説明する。
【００３６】
本実施形態において、バラ紙幣処理装置２およびバラ硬貨処理装置４が、特許請求の範囲に記載の「第２貨幣処理装置」に対応する。また、有価媒体処理装置６および特殊硬貨処理装置７が、特許請求の範囲に記載の「貨幣処理装置」および「第１貨幣処理装置」に対応する。さらに、読取部１３０および撮像部３２０が、特許請求の範囲に記載の「撮像部」に対応する。さらに、第１損券収納部１６０、第２損券収納部１７０、損貨箱３１２および記念貨箱３１３が、特許請求の範囲に記載の「収納部」に対応する。さらに、操作表示部４１０が、特許請求の範囲に記載の「報知部」に対応する。さらに、後読取入金処理が、特許請求の範囲に記載の「入金処理」に対応する。さらに、通番が、特許請求の範囲に記載の「識別情報」に対応する。
【００３７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３８】
図１は、貨幣処理システム１の外観を示す正面図である。
【００３９】
貨幣処理システム１は、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える。
【００４０】
バラ紙幣処理装置２は、バラ紙幣を金種別に収納できる紙幣収納部を有し、バラ紙幣を紙幣収納部へ入金する入金処理や紙幣収納部からバラ紙幣を出金する出金処理を行う。束紙幣処理装置３は、所定枚数（たとえば、１００枚）のバラ紙幣を結束して束紙幣（帯封紙幣）を形成する束紙幣形成部と、束紙幣を収納する束紙幣収納部とを有する。束紙幣処理装置３は、バラ紙幣処理装置２と接続されており、バラ紙幣処理装置２から送られてきたバラ紙幣をもとに束紙幣形成部で束紙幣を生成して外部に投出し、あるいは、生成した束紙幣を束紙幣収納部に収納する。
【００４１】
バラ硬貨処理装置４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理装置５は、所定枚数（たとえば、５０枚）のバラ硬貨を包装して包装硬貨を形成する包装硬貨形成部と、包装硬貨を収納する包装硬貨収納部とを有する。包装硬貨処理装置５は、バラ硬貨処理装置４と接続されており、バラ硬貨処理装置４から送られてきたバラ硬貨をもとに包装硬貨形成部で包装硬貨に生成して外部に投出し、あるいは、生成した包装硬貨を装硬貨収納部に収納する。
【００４２】
有価媒体処理装置６は、バラ紙幣処理装置２および束紙幣処理装置３で取り扱われない有価媒体の処理を行う。具体的には、有価媒体処理装置６は、損券収納部、有価証券収納部を有し、現在発行されていない紙幣である旧券、市場流通に適さない損券および汚れや破れによってバラ紙幣処理装置２で処理できない損傷券を損券収納部に対して入出金する処理、および、小切手や手形などの特定の有価証券を有価証券収納部に対して入出金する処理を行う。また、有価媒体処理装置６は、新券収納部を有し、未使用の紙幣である新券を新券収納部から出金する処理を行う。
【００４３】
特殊硬貨処理装置７は、損貨（変形硬貨、汚損硬貨）、現在発行されていない硬貨である旧貨、記念貨等の市場流通に適さない特殊な硬貨を取り扱う。これら特殊な硬貨は、バラ硬貨処理装置４では、取り扱うことができない。
【００４４】
操作端末８は、操作表示部４１０と、プリンタ４２０とを備える。ユーザは、操作端末８を用いて、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理のための操作や出金処理のための操作を行う。
【００４５】
貨幣保管装置９は、現金バスとも称され、損貨（変形貨幣、汚損貨幣）、旧貨、記念貨等の市場の流通に適さない特殊な硬貨等の保管に用いられる。また、貨幣保管装置９は、束紙幣処理装置３に収納しきらない束紙幣や包装硬貨処理装置５に収納しきらない包装硬貨の保管に用いられる。
【００４６】
図２は、有価媒体処理装置６の内部構成を示す概要図である。
【００４７】
有価媒体処理装置６は、筐体１００内に、投入部１１０と、搬送部１２０と、読取部１３０と、一時保留部１４０と、有価証券収納部１５０と、第１損券収納部１６０と、第２損券収納部１７０と、新券収納部１８０と、投出部１９０とを備える。
【００４８】
投入部１１０は、筐体１００の前上部に設けられる。投入部１１０には、繰出機構１１１が設けられ、投入部１１０に束状態で投入された特定有価媒体（損券、損傷券、旧券、有価証券）が、繰出機構１１１によって、一枚ずつ搬送部１２０に繰り出される。
【００４９】
搬送部１２０は、第１搬送部１２１と第２搬送部１２２とを含む。第１搬送部１２１は、投入部１１０と、一時保留部１４０と、有価証券収納部１５０と、第１損券収納部１６０と、第２損券収納部１７０と、投出部１９０とを結び、投入部１１０に投入された特定有価媒体を、一時保留部１４０や有価証券収納部１５０、第１損券収納部１６０、第２損券収納部１７０へ搬送したり、第１損券収納部１６０や第２損券収納部１７０に収納された損券等を投出部１９０へ搬送したりする。第２搬送部１２２は、新券収納部１８０と投出部１９０とを結び、新券収納部１８０に収納された新券を投出部１９０へ搬送する。第１搬送部１２１と第２搬送部１２２は、投出部１９０の近傍の搬送路１２０ａが共通する。
【００５０】
読取部１３０は、投入部１１０と一時保留部１４０の間の第１搬送部１２１に設けられる。読取部１３０は、カメラまたはラインセンサを含み、一時保留部１４０へと搬送される特定有価媒体を撮像して、その画像を読み取り、その画像のデータを取得する。
【００５１】
筐体１００内（後面側）において、上から順に、一時保留部１４０、有価証券収納部１５０、第１損券収納部１６０および第２損券収納部１７０が配置される。
【００５２】
一時保留部１４０は、投入部１１０に投入された特定有価媒体を一時的に保留する。一時保留部１４０は、テープ巻取り方式の保留部であり、正転および逆転が可能なドラム１４１を有し、このドラム１４１に一対のテープが巻き取られる構成とされる。ドラム１４１が正転すると、第１搬送部１２１で搬送されてきた特定有価媒体が、一枚ずつ一対のテープの間に挟まれた状態で、順次、ドラム１４１に巻き取られる。これにより、特定有価媒体が、順次、一時保留部１４０に保留される。一方、ドラム１４１が逆転すると、巻き取られた特定有価媒体が一枚ずつ一時保留部１４０から第１搬送部１２１へ繰り出される。
【００５３】
有価証券収納部１５０は、小切手等の特定の有価証券を収納する。有価証券収納部１５０は、第１収納部１５１、第２収納部１５２および第３収納部１５３から構成される。これら収納部１５１、１５２、１５３は、スタッカ方式の収納部であり、第１搬送部１２１から送出された小切手等が上下に積み重ねられる構成とされる。たとえば、第１収納部１５１には、貨幣処理システム１が設置された銀行と同じ銀行における他の支店で発行された小切手等が収納され、第２収納部１５２には、貨幣処理システム１が設置された銀行の近辺の場所で発行された小切手等が収納され、第３収納部１５３には、貨幣処理システム１が設置された銀行から遠方の場所で発行された小切手等が収納される。なお、本実施形態では、各収納部１５１、１５２、１５３に繰出機構が設けられていないため、収納された小切手等を第１搬送部１２１へ繰り出すことができない。しかしながら、各収納部１５１、１５２、１５３に繰出機構を設けて、収納された小切手等を第１搬送部１２１へ繰り出せるようにしてもよい。
【００５４】
第１損券収納部１６０および第２損券収納部１７０は、損券、損傷券および旧券（以下、「損券等」という）を収納する。第１損券収納部１６０は、スタッカ方式の収納部であり、第１搬送部１２１から送出された損券等が上下に積み重ねられる構成とされる。第１損券収納部１６０には繰出機構が設けられており、この繰出機構によって、収納された損券等が上から順に一枚ずつ第１搬送部１２１へ繰り出される。一方、第２損券収納部１７０は、テープ巻取り方式の収納部であり、正転および逆転が可能なドラム１７１を有し、このドラム１７１に一対のテープが巻き取られる構成とされる。ドラム１７１が正転すると、第１搬送部１２１で搬送されてきた損券等が、一枚ずつ一対のテープの間に挟まれた状態で、順次、ドラム１７１に巻き取られる。これにより、損券等が、順次、第２損券収納部１７０に収納される。一方、ドラム１７１が逆転すると、巻き取られた損券等が一枚ずつ第２損券収納部１７０から第１搬送部１２１へ繰り出される。
【００５５】
筐体１００内において、一時保留部１４０、有価証券収納部１５０、第１損券収納部１６０および第２損券収納部１７０の前方に、新券収納部１８０が配置される。
【００５６】
新券収納部１８０は、新券を収納する。新券収納部１８０は、第１収納部１８１、第２収納部１８２、第３収納部１８３および第４収納部１８４から構成される。これら収納部１８１、１８２、１８３、１８４が有する繰出機構１８１ａ、１８２ａ、１８３ａ、１８４ａによって、収納部１８１、１８２、１８３、１８４内の新券が一枚ずつ第２搬送部１２２に繰り出される。たとえば、第１収納部１８１には、１万円の新券が収納され、第２収納部１８２には、千円の新券が収納され、第３収納部１８３には、５千円の新券が収納される。また、第４収納部１８４に収納される新券については、操作者が選択できる。
【００５７】
第２搬送部１２２には、簡易識別部１２３が配置される。簡易識別部１２３は、第２搬送部１２２で搬送される新券の金種のみの識別を行う。
【００５８】
投出部１９０は、搬送部１２０に接続される。投出部１９０には、第１搬送部１２１で送られてきた損券等や第２搬送部１２２で送られてきた新券が積み重ねられた状態で投出される。投出部１９０には、羽根車１９１が設けられ、搬送部１２０で送られてきた損券等や新券は、これらが羽根車１９１の一対の羽根の間に挟まれた状態で羽根車１９１が図２における反時計回りの方向へ回転することにより、投出部１９０に送られる。また、投出部１９０には、取出し検出部１９２が設けられる。取出し検出部１９２は、たとえば、発光素子と受光素子とからなり、投出部１９０から損券等や新券が取り出されると発光素子から光が受光素子に到達するようになることで、損券等や新券が取り出されたことを検出する。
【００５９】
筐体１００の前面には、投出部１９０の前方に、投出部１９０の開閉を行うシャッター１０１が設けられる。また、筐体１００の前面には、扉１０２が設けられる。特定の権限を有する者が、この扉１０２を開けて筐体１００の内部にアクセスできる。これにより、新券収納部１８０に新券を補充したり、新券収納部１８０から新券を取り出したりできる。さらには、有価証券収納部１５０から特定の有価証券を取り出すことができる。
【００６０】
図３は、有価媒体処理装置６の主たる構成を示すブロック図である。
【００６１】
有価媒体処理装置６は、上述した各部１１０〜１９０の他、制御部２１０、記憶部２２０および通信部２３０を備える。
【００６２】
制御部２１０は、ＣＰＵ（Central Processing Unit）等の演算回路を備え、記憶部２２０に記憶されたプログラムに従って、各部１１０〜１９０を制御する。読取部１３０により取得された特定有価媒体の画像のデータは、読取部１３０から制御部２１０へ送られる。
【００６３】
記憶部２２０は、ＲＯＭ（Read Only Memory）、ＲＡＭ（Random Access Memory）やハードディスク等の記憶媒体を備え、制御部２１０の動作プログラムを記憶し、また、制御部２１０の制御処理の際にワーク領域として利用される。
【００６４】
通信部２３０は、操作端末８の通信部４４０との間で無線方式あるいは有線方式による信号の送受信を行う。
【００６５】
図４は、特殊硬貨処理装置７の構成を示す斜視図である。
【００６６】
特殊硬貨処理装置７は、略直方体形状の筐体３１１を有し、この筐体３１１の前側下方に損貨箱３１２、記念貨箱３１３および返却箱３１４が設けられる。損貨箱３１２および記念貨箱３１３は、それぞれ、特殊硬貨処理装置７内に投入された硬貨のうち、損貨（変形貨、汚損貨）および記念貨を収納する。また、返却箱３１４は、特殊硬貨処理装置７内に投入された硬貨の返却を行う際に用いられる。なお、金種を特定できない硬貨（例えば、汚損の程度が激しくて金種が分からない硬貨や、外貨やおもちゃのコイン等）は、返却箱３１４に収納されて、取り出される。
【００６７】
損貨箱３１２、記念貨箱３１３および返却箱３１４は、筐体３１１の前面から前方に引き出し可能となっている。損貨箱３１２および記念貨箱３１３は、施錠されており、それぞれ、所定の管理権限を有する作業者のみが解錠を行って、筐体３１１前面から前方に引き出すことができるようになっている。返却箱３１４は、施錠されておらず、自由に引き出すことができる。
【００６８】
筐体３１１の前面には、入金口３１５が設けられる。入金口３１５は、左右方向に移動可能なシャッター３１６により開閉される。筐体３１１内には、入金口３１５の奥に載置部３１７が設けられる。入金口３１５から筐体３１１内に投入された硬貨が載置部３１７に載置される。
【００６９】
図５は、特殊硬貨処理装置７の構成を示すブロック図である。
【００７０】
特殊硬貨処理装置７は、筐体２１１内に、撮像部３２０、振分機構部３３０、損貨搬送部３４０、記念貨搬送部３５０、制御部３６０、記憶部３７０および通信部３８０を備える。
【００７１】
撮像部３２０は、載置部３１７の上方に位置するカメラを含み、載置部３１７に載置された硬貨を撮像する。撮像された硬貨の画像は、制御部３６０へ送られる。
【００７２】
振分機構部３３０は、振分ゲートと、振分ゲートを左右に揺動させるための駆動源とを含み、載置部３１７に載置された硬貨を、損貨および旧貨が損貨搬送部３４０へ移動し、記念貨が記念貨搬送部３５０へ移動するよう振り分ける。
【００７３】
損貨搬送部３４０および記念貨搬送部３５０は、それぞれ、損貨箱３１２および記念貨箱３１３の上方に配置され、ベルト式のコンベアと、コンベアを移動させる駆動源とを含む。損貨搬送部３４０は、損貨箱３１２の入口へ損貨を搬送し、入口から損貨箱３１２内に損貨を落下させる。記念貨搬送部３５０は、記念貨箱３１３の入口へ記念貨を搬送し、入口から記念貨箱３１３内に記念貨を落下させる。
【００７４】
制御部３６０は、ＣＰＵ（Central Processing Unit）等の演算回路を備え、記憶部３７０に記憶されたプログラムに従って、撮像部３２０、振分機構部３３０、損貨搬送部３４０、記念貨搬送部３５０および通信部３８０を制御する。記憶部３７０は、ＲＯＭ（Read Only Memory）、ＲＡＭ（Random Access Memory）やハードディスク等の記憶媒体を備え、制御部３６０の制御プログラムを記憶し、また、制御部３６０の制御処理の際にワーク領域として利用される。
【００７５】
通信部３８０は、制御部３６０からの制御により、操作端末８の通信部４４０との間で無線方式あるいは有線方式による通信を行う。
【００７６】
図６は、操作端末８の構成を示すブロック図である。
【００７７】
操作端末８は、上述した操作表示部４１０およびプリンタ４２０の他、カードリーダ４３０、通信部４４０、制御部４５０および記憶部４６０を備える。
【００７８】
操作表示部４１０は、ディスプレイ４１１とタッチセンサ４１２とを備えたタッチパネルで構成される。ディスプレイ４１１は、各種情報を表示する。タッチセンサ４１２は、ディスプレイ４１１に対するユーザのタッチ操作を検出する。プリンタ４２０は、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理、出金処理等の各種処理の結果を、ジャーナルとして用紙に印字し出力する。
【００７９】
カードリーダ４３０は、ＩＤカードを読み取り、読み取ったデータを制御部４５０に出力する。通信部４４０は、有価媒体処理装置６の通信部２３０および特殊硬貨処理装置７の通信部３８０との間で無線方式あるいは有線方式による通信を行う。この他、通信部４４０は、バラ紙幣処理装置２、束紙幣処理装置３、バラ硬貨処理装置４、包装硬貨処理装置５および貨幣保管装置９の各通信部との間で無線方式あるいは有線方式による通信を行う。
【００８０】
制御部４５０は、ＣＰＵ等の演算回路を備え、記憶部４６０に記憶されたプログラムに従って、操作表示部４１０、プリンタ４２０、カードリーダ４３０、通信部４４０を制御する。さらに、制御部４５０は、通信部４４０を介して、バラ紙幣処理装置２、束紙幣処理装置３、バラ硬貨処理装置４、包装硬貨処理装置５、有価媒体処理装置６、特殊硬貨処理装置７および貨幣保管装置９との間で各種の指令や情報のやり取りを行うことにより、これら装置の動作を制御する。
【００８１】
記憶部４６０は、ＲＯＭ、ＲＡＭやハードディスク等の記憶媒体を備え、制御部４５０の制御プログラムを記憶し、また、制御部４５０の制御処理の際にワーク領域として利用される。さらに、記憶部４６０は、機内在高データベース４６１と手持ち在高データベース４６２を保持している。
【００８２】
機内在高データベース４６１には、貨幣処理システム１のバラ紙幣処理装置２、束紙幣処理装置３、バラ硬貨処理装置４、包装硬貨処理装置５、有価媒体処理装置６および特殊硬貨処理装置７内に保管された貨幣の在高が、機内在高として、これら装置毎に分けられて記憶される。手持ち在高データベース４６２には、後述する後読取入金機能における情報入力処理で入力された貨幣の在高が、手持ち在高として記憶される。なお、貨幣の在高には、少なくとも貨幣の金種および枚数が含まれる。また、それぞれの在高データベース４６１、４６２には、現時点の在高情報だけでなく、貨幣の出し入れの経過を示す取引情報が記憶される。
【００８３】
さて、銀行等の係員が、一つの入金取引として複数枚の紙幣を受け取ると、貨幣処理システム１のバラ紙幣処理装置２に対して入金を行う。バラ紙幣処理装置２では、紙幣の正損および金種の識別が行われる。識別の結果、正常と判断された紙幣は、金種ごとに計数される。計数結果、即ち、正常な紙幣の金種および枚数が取引情報に含まれる機内在高として、他の取引情報とともに操作端末８の機内在高データベース４６１に記憶され、現在の機内在高に加算される。貨幣処理システム１では、入金取引、出金取引等の各取引が行われる度に、取引が識別できるよう通番（通し番号）が付される。機内在高データベース４６１に記憶された機内在高は通番に対応付けられる。計数された紙幣は、金種別に紙幣収納部に収納される。
【００８４】
一方、識別の結果、損券または旧券と判断された紙幣は、計数されることなく、バラ紙幣処理装置２から返却される。返却された紙幣、即ち、損券および旧券が、有価媒体処理装置６に入金される。なお、係員は、受け取った紙幣の中から予め損券および旧券を抜き取り、これら紙幣を有価媒体処理装置６に入金する場合もある。また、係員は、受け取った紙幣（一つの入金取引の対象となる紙幣）が全て損券および旧券である場合、バラ紙幣処理装置２への入金処理を行うことなく、これら全ての紙幣を有価媒体処理装置６に入金する。
【００８５】
以下、損券等の紙幣（特殊な紙幣）の有価媒体処理装置６への入金について説明する。
【００８６】
本実施形態の貨幣処理システム１は、有価媒体処理装置６への損券等の紙幣の入金に関し、通常入金機能に加えて、後読取入金機能を備える。係員（操作者）は、通常入金機能による入金を行うか、後読取入金機能による入金を行うかを選択できる。
【００８７】
通常入金機能では、以下の通常入金処理が操作端末８の制御部４５０により行われる。即ち、投入部１１０に投入された損券等の紙幣が、有価媒体処理装置６内に取り込まれ、第１損券収納部１６０または第２損券収納部１７０に収納される。この際、読取部１３０により紙幣の画像が読み取られ、画像が参照されつつその紙幣に係る刷種、金種等の貨幣情報が入力され、紙幣の画像と貨幣情報とが対応付けられて操作端末８の記憶部４６０に記憶される。入金された紙幣の金種および枚数が、取引情報に含まれる機内在高として、他の取引情報とともに操作端末８の機内在高データベース４６１に記憶され、現在の機内在高に加算される。
【００８８】
このように有価媒体処理装置６へ入金を行う場合には、紙幣の画像を取り込んでその画像に対応する情報を入力する操作を要する関係上、入金時間が長くなりやすい。そこで、操作者は、たとえば、貨幣処理システム１への入金業務が込み合っている場合に、後読取入金機能による入金を選択する。
【００８９】
後読取入金機能では、情報入力処理と後読取入金処理とが操作端末８の制御部４５０により行われる。
【００９０】
図７は、情報入力処理を示すフローチャートである。図８（ａ）〜（ｃ）は、それぞれ、操作端末８の操作表示部４１０に表示される入金メニュー画面５１０、金種および枚数の入力前の情報入力画面５２０、並びに、金種および枚数の入力後の情報入力画面５２０を示す図である。図９（ａ）〜（ｃ）は、それぞれ、操作端末８の操作表示部４１０に表示される明細印字画面５３０、金種および枚数の入力前の保管場所選択画面５４０、並びに、金種および枚数の入力後の保管場所選択画面５４０を示す図である。図９（ｄ）は、明細が印字されたジャーナル５５０を示す図である。
【００９１】
有価媒体処理装置６への入金のため、図８（ａ）に示す入金メニュー画面５１０が操作表示部４１０に表示される。入金メニュー画面５１０には、領域５１１内に、後読取入金機能を選択するための項目５１１ａおよび通常入金機能を選択するための項目５１１ｂが他の選択可能な項目と共に表示される。また、入金メニュー画面５１０には、数字等を入力するためのテンキー５１２が表示される。項目５１１ｂが選択されると上述した通常入金機能が行われる。一方、項目５１１ａが選択されると後読取入金機能が行われる。
【００９２】
操作者が、項目５１１ａを選択すると、項目５１１ａがハイライト表示される。領域５１１の隣に新たな領域が形成され、その領域内に後読取入金機能を選択するための更なる項目が他の項目と共に表示されるので、操作者は、更なる項目を選択する。これにより、図７に示す情報入力処理が開始される。
【００９３】
情報入力処理が開始されると、制御部４５０は、操作表示部４１０に情報入力画面５２０を表示させる（Ｓ１０１）。
【００９４】
図８（ｂ）に示すように、情報入力画面５２０には、入金メニュー画面５１０と同様、領域５１１が含まれる。領域５１１内において、項目５１１ａがハイライト表示される。また、情報入力画面５２０には、領域５１１に隣接する領域５２１に、後読取入金機能を選択するための更なる項目５２１ａがハイライト表示され、項目５２１ａの下に、金種別に枚数を入力するための入力欄５２１ｂが表示される。入力欄５２１ｂは、上下に並ぶ複数の金種の項目５２１ｃにより構成される。さらに、情報入力画面５２０には、テンキー５１２と完了操作のためのボタン５２２が表示される。
【００９５】
操作者は、入力欄５２１ｂにおいて、該当する金種の項目５２１ｃにタッチしてハイライト表示させた後、テンキー５１２を操作し、その項目５２１ｃに枚数を入力する。図８（ｃ）に示すように、枚数が入力された項目５２１ｃに、枚数と金額が表示される。また、領域５２１の下部に合計金額が表示される。こうして、情報入力画面５２０上で入金対象となる紙幣の金種および枚数が入力される。操作者は、全ての紙幣の金種および枚数が入力されると、ボタン５２２を操作する。
【００９６】
制御部４５０は、情報入力画面５２０を表示させた後（Ｓ１０１）、入力受付処理を実行する（Ｓ１０２）。入力受付処理において、制御部４５０は、上述したテンキー５１２等の操作による紙幣の金種および枚数の入力を受け付ける。また、制御部４５０は、ボタン５２２に対する操作を受け付ける。ボタン５２２が操作されると、制御部４５０は、入力が完了したと判定し（Ｓ１０３：ＹＥＳ）、操作表示部４１０に明細印字画面５３０を表示させる（Ｓ１０４）。
【００９７】
図９（ａ）に示すように、明細印字画面５３０には、左側の領域５３１に、発行されるジャーナルの枚数と合計金額が表示され、右側の領域５３２にプリンタ４２０への用紙のセットを要求する画像５３２ａが表示される。操作者は、ジャーナルの発行枚数分の用紙をプリンタ４２０にセットする。プリンタ４２０に用紙がセットされると（Ｓ１０５：ＹＥＳ）、制御部４５０は、操作表示部４１０に保管場所選択画面５４０を表示させる（Ｓ１０６）。
【００９８】
図９（ｂ）に示すように、保管場所選択画面５４０には、領域５４１内に、保管場所が手持ちであることを示す項目５４１ａと保管場所が現金バス（貨幣保管装置９）であることを示す項目５４１ｂとが表示され、それぞれの項目５４１ａ、５４１ｂの下に金種別に枚数を入力するための入力欄５４１ｃ、５４１ｄが表示される。入力欄５４１ｃ、５４１ｄは、上下に並ぶ複数の金種の項目５４１ｅ、５４１ｆにより構成される。領域５４１内には、全ての項目５４１ｅ、５４１ｆが表示されておらず、スクロールのボタン５４１ｇが操作されることで、２つの入力欄５４１ｃ、５４１ｄが上下方向に同時にスクロールし、表示されていない項目５４１ｅ、５４１ｆが表示されるようになっている。また、保管場所選択画面５４０には、テンキー５４２と完了操作のためのボタン５４３が表示される。
【００９９】
操作者は、手持ちまたは現金バスの入力欄５４１ｃ、５４１ｄにおいて、該当する金種の項目５４１ｅ、５４１ｆにタッチしてハイライト表示させた後、テンキー５４２を操作し、その項目５４１ｅ、５４１ｆに枚数を入力する。図９（ｃ）に示すように、枚数が入力された項目５４１ｅ、５４１ｆに、枚数と金額が表示される。また、手持ちを示す項目５４１ａおよび現金バスを示す項目５４１ｂに、それぞれの保管場所に保管される紙幣の合計金額が表示される。こうして、保管場所選択画面５４０上で保管場所が選択されて、それぞれの保管場所に保管される紙幣の金種および枚数が入力される。操作者は、全ての紙幣についての金種および枚数が入力されると、ボタン５４３を操作する。
【０１００】
制御部４５０は、保管場所選択画面５４０を表示させた後（Ｓ１０６）、選択受付処理を実行する（Ｓ１０７）。選択受付処理において、制御部４５０は、上述したテンキー５４２等の操作による、選択した各保管場所に対する紙幣の金種および枚数の入力を受け付ける。また、制御部４５０は、ボタン５４３に対する操作を受け付ける。ボタン５４３が操作されると、制御部４５０は、入力が完了したと判定し（Ｓ１０８：ＹＥＳ）、登録処理を実行する（Ｓ１０９）。
【０１０１】
登録処理において、制御部４５０は、Ｓ１０２で受け付けた損券等の紙幣の金種および枚数を、手持ちおよび現金バスの各保管場所に分けて、手持ち在高として、記憶部４６０の手持ち在高データベース４６２に記憶させる。このとき、制御部４５０は、手持ち在高に、今回の紙幣の入金取引に付された通番を対応付ける。これにより、手持ち在高、即ち、情報入力処理で入力された損券等の紙幣の金種および枚数が、バラ紙幣処理装置２に入金された、同じ入金取引の正常な紙幣の取引情報と対応付けられる。
【０１０２】
その後、制御部４５０は、プリンタ４２０を動作させ、セットされた用紙に明細を印字してジャーナル５５０を生成し、プリンタ４２０から出力させる（Ｓ１１０）。図９（ｄ）に示すように、ジャーナル５５０には、通番と、入金明細である金種別の枚数および金額と、保管場所別の金額とが表示される。
【０１０３】
このように、後読取入金機能が選択された場合、バラ紙幣処理装置２からの返却等により損券等の紙幣が発生した直後は、情報入力処理により、それら紙幣、即ち、有価媒体処理装置６への入金対象となる紙幣の金種および枚数の入力のみ行われ、有価媒体処理装置６への紙幣の実際の入金（収納）は行われない。よって、通常入金機能により有価媒体処理装置６への紙幣の実際の入金（収納）が行われる場合と異なり、処理時間が短くなる。
【０１０４】
操作者は、現金バス（貨幣保管装置９）等、選択した保管場所に損券等の紙幣を一時的に保管し、発行されたジャーナル５５０を所持する。
【０１０５】
なお、一つの入金取引において、損券等の紙幣の他に正常な紙幣が存在する場合、正常な紙幣のバラ紙幣処理装置２への入金が行われる。この場合、情報入力処理は、バラ紙幣処理装置２において、正常な紙幣の計数が行われた後に行われる。このとき、正常な紙幣は未だ紙幣収納部に収納されていない。係員が入金対象の紙幣の中から予め損券等の紙幣を選別した場合には、情報入力処理が、正常な紙幣がバラ紙幣処理装置２に投入される前に行われることがある。この場合は、情報入力処理の直後に、バラ紙幣処理装置２への正常な紙幣の入金が行われることになる。何れにしろ、バラ紙幣処理装置２へ正常な紙幣が入金される際に、情報入力処理が行われる。情報入力処理が完了した後、即ち、一つの入金取引における全ての紙幣（損券等の紙幣、正常な紙幣）の金種および枚数の入力が完了した後、バラ紙幣処理装置２において、正常な紙幣が紙幣収納部に収納される。
【０１０６】
図８（ｂ）、（ｃ）の情報入力画面５２０および図９（ｂ）、（ｃ）の保管場所選択画面５４０において、紙幣の金種および枚数のみならず、刷種（例えば、Ａ〜Ｅ券）が入力できるようにしてもよい。また、保管場所選択画面５４０において、手持ちおよび現金バスの何れかの入力欄５４１ｃ、５４１ｄに、デフォルト表示として、情報入力画面５２０で入力された金種および枚数が表示され、このデフォルト表示から必要に応じた修正が行われるようにしてもよい。このとき、同じ金種同士の項目５４１ｅと項目５４１ｆとの間では、ドラッグ操作により、枚数と金額が移動できるようにしてもよい。
【０１０７】
情報入力処理が行われた後、貨幣処理システム１への入金業務が落ち着いたタイミングで、後読取入金機能における後読取入金処理が行われる。
【０１０８】
図１０は、後読取入金処理を示すフローチャートである。図１１（ａ）〜（ｃ）は、それぞれ、操作端末８の操作表示部４１０に表示されるメニュー画面６１０、セット要求画面６２０および入金処理画面６３０を示す図である。図１２（ａ）〜（ｃ）は、それぞれ、操作端末８の操作表示部４１０に表示される入力確認画面６４０、明細印字画面６５０およびエラー画面６６０を示す図である。
【０１０９】
操作者により所定の操作が行われると、図１１（ａ）に示すメニュー画面６１０が操作表示部４１０に表示される。メニュー画面６１０には、処理項目の選択候補を表示する領域６１１が含まれている。操作者は、領域６１１中の“損／旧貨幣・記念貨”の処理項目を選択した後、領域６１２に含まれた貨幣の種類の中から、処理対象とされる“損／旧券”の項目を選択する。“損／旧券”の項目が選択されたことに応じて、領域６１３に、入金される損券および旧券の種類を選択するための項目が表示されるため、操作者は、適切な項目を選択する。３つの領域６１１、６１２、６１３において、選択された項目がハイライト表示される。その後、操作者は、領域６１１の下に表示されたボタン６１４を操作する。これにより、図１０に示す後読取入金処理が開始される。
【０１１０】
制御部４５０は、操作表示部４１０にセット要求画面６２０を表示させる（Ｓ２０１）。これにより、操作表示部４１０の画面が、図１１（ａ）のメニュー画面６１０から図１１（ｂ）のセット要求画面６２０に切り替わる。
【０１１１】
図１１（ｂ）に示すように、領域６２１には、図１１（ａ）の領域６１１と同様の画像が含まれる。領域６２２には、有価媒体処理装置６の投入部１１０近傍の画像６２２ａが表示される。領域６２３には、有価媒体処理装置６に入金対象の紙幣をセットすること、および、セット完了後にボタン６２４を操作することを促すメッセージ６２３ａが含まれる。操作者は、メッセージ６２３ａを参照して、有価媒体処理装置６の投入部１１０に紙幣を投入し、ボタン６２４を操作する。これにより、制御部４５０は、紙幣のセットが完了したと判定する（Ｓ２０２：ＹＥＳ）。
【０１１２】
制御部４５０は、有価媒体処理装置６の制御部２１０に対して、入金開始の指示、即ち、紙幣を撮像して一時保留させる指示を送信する（Ｓ２０３）。これにより、有価媒体処理装置６において、投入部１１０から紙幣が全て繰り出され、その表面が読取部１３０で撮像された後、一時保留部１４０に収納される。撮像された画像のデータが、通信部２３０、４４０を介して、有価媒体処理装置６から操作端末８に送信される。制御部４５０は、受信したデータを、記憶部４６０に記憶させる。
【０１１３】
次に、制御部４５０は、入金処理画面６３０を操作表示部４１０に表示させる（Ｓ２０４）。
【０１１４】
図１１（ｃ）に示すように、入金処理画面６３０は、領域６３１、６３２と、ボタン６３３、６３４とを含む。領域６３１には、金種の選択候補となる項目６３１ａと刷種の選択候補となる項目６３１ｂが上下に並ぶように配置される。選択候補となる金種および刷種、即ち項目６３１ａ、６３１ｂの数や表示内容は、メニュー画面６１０の領域６１３で選択される損券および旧券の種類に応じで変更される。また、領域６３１には、処理番号を入力するための入力ボックス６３１ｃが表示される。領域６３２には、紙幣の表面の画像６３２ａが表示される。ボタン６３３は、確定操作のためのボタンであり、ボタン６３４は、紙幣のサンプル画像を表示させるためのボタンである。
【０１１５】
操作者は、紙幣の画像６３２ａを確認し、その紙幣の金種を選択候補の項目６３１ａの中からタッチにより選択する。同様に、操作者は、その紙幣の刷種を選択候補の項目６３１ｂの中からタッチにより選択する。また、操作者は、所持するジャーナル５５０を参照するなどして、入金対象の紙幣に付された通番を、処理番号として入力ボックス６３１ｃに入力する。このとき、入力ボックス６３１ｃにタッチされると、入金処理画面６３０上にテンキーが表示され、このテンキーにより処理番号（通番）が入力される。その後、操作者は、ボタン６３３を操作する。紙幣の画像６３２ａに対する金種と刷種の対応付けが確定し、領域６３２に次の紙幣の画像６３２ａが表示される。同様な操作が繰り返されて、全ての紙幣の画像６３２ａに対して金種と刷種が対応付けられる。ボタン６３４が操作されると紙幣のサンプル画像が入金処理画面６３０上に重なるように表示される。操作者は、サンプル画像を参照しながら操作を行うことができる。
【０１１６】
なお、金種および刷種は、上記のように選択候補の中から選択されるのではなく、テンキーやキーボードにより直接入力されてもよい。
【０１１７】
制御部４５０は、入金処理画面６３０を表示させた後（Ｓ２０４）、入力受付処理を実行する（Ｓ２０５）。入力受付処理において、制御部４５０は、図１１（ｃ）で説明した操作を受け付け、その操作に従って、紙幣の画像６３２ａに対応付けられる金種および刷種の入力および処理番号（通番）の入力を受け付ける。また、ボタン６３３、６３４に対する操作を受け付けて、それに従った画面表示を行う。
【０１１８】
図１１（ｃ）の入金処理画面６３０において、操作者により、全ての紙幣の画像６３２ａに対して刷種および金種が設定されると（Ｓ２０６：ＹＥＳ）、制御部４５０は、入力確認画面６４０を操作表示部４１０に表示させる（Ｓ２０７）。
【０１１９】
図１２（ａ）に示すように、入力確認画面６４０には、３つの領域６４１、６４２、６４３に、メニュー画面６１０の３つの領域６１１、６１２、６１３と同様の画像が表示される他、領域６４１に処理番号が示された項目６４１ａが表示され、領域６４２に、入金処理画面６３０での入力結果の画像６４２ａが表示される。入力結果の画像６４２ａは、紙幣の画像のサムネイル、刷種および金種が示された、全ての紙幣分の項目６４２ｂが、上下に配列されたものである。入力結果の画像６４２ａは、ボタン６４２ｃの操作により上下方向にスクロールさせることができ、表示されていない項目６４２ｂを表示させることができる。入力確認画面６４０には、完了操作のためのボタン６４４が含まれる。操作者は、入力結果の画像６４２ａを確認した後に、ボタン６４４を操作する。
【０１２０】
ボタン６４４が操作されると（Ｓ２０８：ＹＥＳ）、制御部４５０は、入金データの照合を行う（Ｓ２０９）。即ち、制御部４５０は、入力された処理番号（通番）と同じ通番に対応付けられた手持ち在高、即ち、紙幣の金種および枚数を、手持ち在高データベース４６２から読み出し、読み出された紙幣の金種および枚数と、今回、後読取入金処理で有価媒体処理装置６に入金（収納）された紙幣の金種および枚数とを照合する。そして、照合の結果、読み出された紙幣の金種および枚数が入金された紙幣の金種および枚数と一致していれば（Ｓ２１０：ＹＥＳ）、制御部４５０は、登録処理を実行する（Ｓ２１１）。
【０１２１】
登録処理において、制御部４５０は、各紙幣の画像４８２ａとその画像４８２ａに設定された刷種および金種とを対応付けて記憶部４６０に記憶させる。また、制御部４５０は、照合のために手持ち在高データベース４６２から読み出した手持ち在高を、機内在高に置き換え、他の取引情報とともに通番に対応付けて機内在高データベース４６１に記憶させる。制御部４５０は、機内在高に置き換えた手持ち在高を手持ち在高データベース４６２から消去する。
【０１２２】
その後、制御部４５０は、操作表示部４１０に明細印字画面６５０を表示させる（Ｓ２１２）。図１２（ｂ）に示すように、明細印字画面６５０は、情報入力処理で表示される明細印字画面５３０と同様であり、左側の領域６５１に、発行されるジャーナルの枚数と合計金額が表示され、右側の領域６５２にプリンタ４２０への用紙のセットを要求ずる画像６５２ａが表示される。プリンタ４２０に用紙をセットされると（Ｓ２１３：ＹＥＳ）、制御部４５０は、プリンタ４２０を動作させ、セットされた用紙に明細を印字してジャーナルを生成し、プリンタ４２０から出力させる（Ｓ２１４）。ジャーナルは、保管場所別の金額が表示されない点を除き、情報入力処理で発行されるジャーナル５５０と同じである。
【０１２３】
ジャーナルの出力が完了すると、制御部４５０は、通信部４４０を介して、処理の完了を示す通知を有価媒体処理装置６に送信する。これに応じて、有価媒体処理装置６の制御部２１０は、一時保留部１４０に収納された紙幣を、第１損券収納部１６０および第２損券収納部１７０に移送し、収納させる。これにより、後読取入金処理が完了する。
【０１２４】
一方、Ｓ２１０において、読み出された紙幣の金種および枚数が入金された紙幣の金種および枚数と一致していないと判定された場合（Ｓ２１０：ＮＯ）、制御部４５０は、操作表示部４１０にエラー画面６６０を表示させる（Ｓ２１５）。図１２（ｃ）に示すように、エラー画面６６０は、入力確認画面６４０に警告ウィンドウ６６１が重ねられた画面である。警告ウィンドウ６６１には、入金データが一致していない旨のメッセージ６６１ａと確認操作のためのボタン６６２が表示される。
【０１２５】
なお、情報入力処理において紙幣の金種、枚数に加えて刷種が入力されるような構成が採られた場合は、金種、枚数および刷種の一致がない場合に、エラー画面６６０が表示されることになる。
【０１２６】
エラー画面６６０が表示されると、制御部４５０は、エラー処理を実行する（Ｓ２１６）。たとえば、制御部４５０は、ボタン６６２が操作されると、有価媒体処理装置６の制御部２１０に指示し、一時保留部１４０に保留していた紙幣を返却させる。なお、制御部４５０は、紙幣を返却する前に、入金処理画面６３０に表示を戻し、操作者に、処理番号の再入力や入金処理画面６３０での刷種および金種の再入力させるようにしてもよい。また、エラー画面６６０に、紙幣の差分（不足分）の表示、たとえば、「１万円が１枚足りません」などのメッセージ表示が行われるようにし、有価媒体処理装置６へ不足する紙幣を追加投入させるようにしてもよい。
【０１２７】
次に、損貨、記念貨等の硬貨（特殊な硬貨）の特殊硬貨処理装置７への入金について説明する。
【０１２８】
損貨等の硬貨を特殊硬貨処理装置７へ入金する場合も、有価媒体処理装置６への損券等の紙幣の入金と同様であり、操作者は、通常入金処機能と後読取入金機能とを選択できる。
【０１２９】
通常入金処機能が選択された場合、通常入金処理が行われる。即ち、載置部３１７に載置された損貨等の硬貨が、損貨箱３１２または記念貨箱３１３に収納される。この際、撮像部３２０により硬貨の画像が生成され、画像が参照されつつその硬貨に係る金種等の貨幣情報が入力され、硬貨の画像と貨幣情報とが対応付けられて操作端末８の記憶部４６０に記憶される。入金された硬貨の金種および枚数が、機内在高として操作端末８の機内在高データベース４６１に記憶される。
【０１３０】
一方、後読取入金機能が選択された場合、まず、図７の情報入力処理が行われる。この際、図８（ｂ）の情報入力画面５２０において、硬貨の金種の項目５２１ｃに枚数が入力される。また、図９（ｂ）の保管場所選択画面５４０において、硬貨の金種の項目５４１ｅ、５４１ｆ（図９（ｂ）では、表示されていない）に枚数が入力される。この段階では、入金対象の硬貨が実際に特殊硬貨処理装置７に入金（収納）されず、硬貨の金種および枚数が、手持ち在高として、通番に対応付けられて手持ち在高データベース４６２に記憶される。
【０１３１】
情報入力処理が完了した後、適宜のタイミングにおいて、操作者は、図１１（ａ）に示すメニュー画面６１０を操作する。この際、操作者は、領域６１１中の“損／旧貨幣・記念貨”の処理項目を選択した後、領域６１２に含まれた貨幣の種類の中から、処理対象とされる“損／旧貨・記念貨”の項目を選択する。このような操作がなされことにより、図１０の紙幣に係る後読取入金処理と同様の硬貨に係る後読取入金処理が行われる。この後読取入金処理では、硬貨用の入金処理画面上において、硬貨の画像に対応付けられる硬貨の金種とともに硬貨の種類（損貨、記念貨）が入力される。後読取入金処理が行われることにより、入金対象の硬貨が実際に特殊硬貨処理装置７に入金（収納）される。さらに、硬貨の画像と金種および種類とが対応付けられて記憶部４６０に記憶されるとともに、入金された硬貨に係る手持ち在高が機内在高に置き換えられて通番に対応付けられて機内在高データベース４６１に記憶される。
【０１３２】
さて、銀行等の一日の業務が終了すると、貨幣処理システム１では、締め処理（データクリア処理）が行われる。損券、損貨等の貨幣が、後読取入金機能によって有価媒体処理装置６および特殊硬貨処理装置７に入金される場合、締め処理が行われるまでに後読取入金処理が行われる必要がある。しかしながら、上述のように、後読取入金処理は、情報入力処理からしばらく時間をおいて行われることが多いので、後の入金が忘れられてしまう虞がある。そこで、本実施形態では、以下に説明する警告報知処理が行われる。
【０１３３】
図１３（ａ）は、警告報知処理を示すフローチャートであり、図１３（ｂ）、（ｃ）は、それぞれ、警告報知処理において操作表示部４１０に表示される画面を示す図である。
【０１３４】
制御部４５０は、締め処理が開始されたか否かを監視し、締め処理が開始されると（Ｓ３０１：ＹＥＳ）、手持ち在高データベース４６２を参照し、当該データベースに手持ち在高が存在するか否かを判定する（Ｓ３０２）。後読取入金処理により入金されていない貨幣が存在する場合には、手持ち在高データベース４６２にそれら貨幣に係る手持ち在高が存在する。よって、手持ち在高が存在する場合、制御部４５０は、警告報知を行う（Ｓ３０３）。即ち、制御部４５０は、操作表示部４１０において、図１３（ｂ）に示すように、締め処理の画面に警告ウィンドウ７１０を重ねて表示させる。警告ウィンドウ７１０は、入金忘れがある旨のメッセージ７１１および確認操作のためのボタン７１２を含む。
【０１３５】
このような警告表示がなされることにより、操作者は、入金忘れがあることを把握できる。その後、操作者は、警告ウィンドウ７１０内のボタン７１２を操作する。
【０１３６】
ボタン７１２が操作されると、制御部４５０は、確認操作が行われたと判定し（Ｓ３０４：ＹＥＳ）、締め処理を中止させ（Ｓ３０５）、入金が忘れられている貨幣に係る手持ち在高を操作表示部４１０に表示させる（Ｓ３０６）。操作表示部４１０には、図１３（ｃ）に示すような、通番と明細（金種、枚数、金額、保管場所）が示された通知画面７２０が表示される。これにより、操作者は、入金が忘れられている貨幣についての詳細情報を知ることができる。
【０１３７】
所定の操作がなされることにより、通知画面７２０は消去される。こうして、警告報知処理が終了する。操作者は、対象の貨幣を探し出して、有価媒体処理装置６あるいは特殊硬貨処理装置７へ入金する。
【０１３８】
なお、上記の警告報知処理では、締め処理が開始されるタイミングにおいて、入金忘れがあるときに警告報知がなされるようにされた。しかしながら、他のタイミングにおいて、たとえば、予め設定された時刻が到来したとき、あるいは精査処理が開始されたときに入金忘れがある場合に警告報知がなされるような警告報知処理が行われてもよい。また、警告報知として、警告メッセージが音声で出力されてもよい。さらには、管理者のパソコンや携帯端末に警告の通知が行われてもよい。
【０１３９】
＜実施形態の効果＞
本実施形態によれば、以下の効果が奏され得る。
【０１４０】
貨幣処理システム１は、損券等の紙幣（損貨等の硬貨）を有価媒体処理装置６（特殊硬貨処理装置７）へ入金するための後読取入金機能を備える。後読取入金機能では、貨幣を前記収納部へ収納させる後読取入金処理が行われ、当該後読取入金処理において、収納される紙幣（硬貨）が読取部１３０（撮像部３２０）で撮像され、撮像された紙幣（硬貨）の画像に対応付けられる金種および刷種（種類）の情報の入力が受け付けられ、紙幣（硬貨）の画像と当該画像に対して受け付けられた金種および刷種（種類）の情報とが対応付けられて記憶部４６０に記憶される。そして、後読取入金処理が行われる前には、情報入力処理が行われ、その入金対象となる紙幣（硬貨）に係る金種および枚数の情報の入力が受け付けられ、受け付けられた金種および枚数の情報が記憶部４６０に記憶される。
【０１４１】
この構成によれば、係員が、損券等の紙幣（損貨等の硬貨）を受け取った後早い時期に、それら紙幣（硬貨）に係る金種および枚数の情報の入力だけを行い、その後時間をおいて、有価媒体処理装置６（特殊硬貨処理装置７）への実際の紙幣（硬貨）の入金、即ち収納を行うことができる。これにより、貨幣処理システム１の入金業務が混み合っているときに、有価媒体処理装置６（特殊硬貨処理装置７）への実際の入金時に必要となる、画像の取り込みおよび画像への金種等の貨幣情報の対応付けという、長い時間を要する処理が行われないようにできる。よって、入金業務が滞ることを生じにくくできる。しかも、先に、入金対象となる紙幣（硬貨）に係る金種および枚数の情報は入力されているので、これらの情報を用いて、後に行われる入金が忘れられた場合の報知や、後に行われる入金時に正しく紙幣（硬貨）が入金されたか否かの確認を行うことが可能となる。
【０１４２】
したがって、貨幣処理システム１への貨幣（紙幣、硬貨）の入金を、業務状況等に応じて、効率的かつ適正に行うことが可能となる。
【０１４３】
また、貨幣処理システム１では、情報入力処理において、金種および枚数の情報が通番に対応付けて記憶部４６０に記憶される。そして、後読取入金処理において、通番の入力が受け付けられ、後読取入金処理により入金された紙幣（硬貨）の金種および枚数が、受け付けられた通番に対応付けられた紙幣（硬貨）の金種および枚数と一致しない場合に、操作表示部４１０により警告報知が行われる。
【０１４４】
この構成によれば、係員は、後読取入金処理により誤った紙幣（硬貨）の入金が行われた場合に、そのことを警告報知により知ることができる。これにより、有価媒体処理装置６（特殊硬貨処理装置７）に誤った紙幣（硬貨）の入金が行われることを防止できる。
【０１４５】
さらに、貨幣処理システム１は、損券等の特殊な紙幣（硬貨）が入金される有価媒体処理装置６（特殊硬貨処理装置７）と、特殊な紙幣（硬貨）でない正常な紙幣（硬貨）が入金されるバラ紙幣処理装置２（バラ硬貨処理装置４）を備える。そして、この構成において、一つの入金取引の対象に特殊な紙幣（硬貨）と正常な紙幣（硬貨）とが含まれる場合に、特殊な紙幣（硬貨）に係る金種および枚数の情報が正常な紙幣（硬貨）に係る在高情報と対応付けて記憶部４６０に記憶される。
【０１４６】
この構成によれば、一つの入金取引の対象に特殊な紙幣（硬貨）と正常な紙幣（硬貨）とが含まれる場合に、特殊な紙幣（硬貨）の有価媒体処理装置６（特殊硬貨処理装置７）への入金が、正常な紙幣（硬貨）のバラ紙幣処理装置２（バラ硬貨処理装置４）への入金よりも遅れて行われても、係員は、これら特殊な紙幣（硬貨）と正常な紙幣（硬貨）とが同じ入金取引に含まれるものであることの把握が可能となる。
【０１４７】
さらに、貨幣処理システム１では、一つの入金取引の対象に特殊な紙幣（硬貨）と正常な紙幣（硬貨）とが含まれる場合に、正常な紙幣（硬貨）がバラ紙幣処理装置２（バラ硬貨処理装置４）に入金される際に、情報入力処理が行われる。
【０１４８】
この構成によれば、一つの入金取引の対象に特殊な紙幣（硬貨）と正常な紙幣（硬貨）とが含まれる場合に、係員は、特殊な紙幣（硬貨）に係る金種および枚数の情報の入力を、正常な紙幣（硬貨）のバラ紙幣処理装置２（バラ硬貨処理装置４）への入金と一連の手続きとして行うことができるので、入金取引についての運用が行いやすくなる。
【０１４９】
さらに、貨幣処理システム１では、締め処理が開始されるタイミングにおいて、後読取入金処理による入金が行われていない特殊な紙幣（硬貨）の存否がチェックされる。
【０１５０】
この構成によれば、締め処理が行われるまでに、後読取入金処理による入金が行われていない場合に、その旨を報知するなどの所定の対策を講じることができ、入金が行われないままとなることを防止できる。
【０１５１】
さらに、貨幣処理システム１では、情報入力処理において、特殊な紙幣（硬貨）が入金されるまでの貨幣の保管場所に係る情報の入力が受け付けられる。
【０１５２】
この構成によれば、保間場所の操作表示部４１０への表示や用紙への印字を行うことが可能となり、係員が保管場所の確認を行うことが可能となる。
【０１５３】
さらに、貨幣処理システム１では、情報入力処理により入力された金種および枚数の情報がプリンタ４２０により用紙に印字され、印字された用紙がジャーナル５５０として出力される。
【０１５４】
この構成によれば、係員は、後読取入金処理による入金を忘れていても、所持したジャーナル５５０に気づくことで、思い出すことが可能となる。
【０１５５】
以上、本発明の実施形態について説明したが、本発明は、上記実施形態によって何ら制限されるものではなく、また、本発明の実施形態も、上記以外に種々の変更が可能である。
【０１５６】
＜変更例１＞
本変更例では、貨幣処理システム１が、有価媒体処理装置６および特殊硬貨処理装置７への入金について、先読取入金機能を備える。
【０１５７】
先読取入金機能は、一つの入金取引の対象に特殊な紙幣（硬貨）と正常な紙幣（硬貨）とが含まれる場合に、有価媒体処理装置６（特殊硬貨処理装置７）への特殊な紙幣（硬貨）への入金を先に行っておいて、バラ紙幣処理装置２（バラ硬貨処理装置４）への正常な紙幣（硬貨）の入金の際に、正常な紙幣（硬貨）に係る在高情報（金種、枚数等）と特殊の紙幣（硬貨）の在高情報（金種、枚数等）を対応付ける入金機能である。
【０１５８】
図１４（ａ）〜（ｄ）は、変更例１に係る、先読取入金機能について説明するための図である。
【０１５９】
先読取入金機能では、先読取入金処理が行われ、その後、対応付け処理が行われる。先読取入金処理および対応付け処理は、制御部４５０により行われる。以下では、紙幣についての先読取入金機能について説明するが、硬貨についての先読取入金処理も同様なものとなる。
【０１６０】
操作者（係員）は、複数の入金取引、本実施形態では最大３つの入金取引に含まれる特殊な紙幣をまとめて有価媒体処理装置６の投入部１１０にセットし、先読取入金処理のための操作を行う。
【０１６１】
先読取入金処理が開始されると、投入部１１０から紙幣が全て繰り出され、その表面が読取部１３０で撮像された後、一時保留部１４０に収納される。紙幣の画像のデータが、制御部４５０に送信される。制御部４５０は、図１４（ａ）に示す入金処理画面８１０を操作表示部４１０に表示させる。
【０１６２】
入金処理画面８１０は、領域８１１、８１２と、ボタン８１３、８１４とを含む。領域８１１には、金種の選択候補となる項目８１１ａと刷種の選択候補となる項目８１１ｂが上下に並ぶように配置される。また、領域８１１には、クループの選択に用いられる３つの項目８１１ｃが上下に並ぶように配置される。領域８１２には、紙幣の表面の画像８１２ａが表示される。ボタン８１３は、確定操作のためのボタンであり、ボタン８１４は、紙幣のサンプル画像を表示させるためのボタンである。
【０１６３】
操作者は、紙幣の画像８１２ａを確認し、その紙幣の金種を選択候補の項目８１１ａの中からタッチにより選択する。同様に、操作者は、その紙幣の刷種を選択候補の項目８１１ｂの中からタッチにより選択する。また、操作者は、何れかの項目８１１ｃへのタッチによりグループを選択する。操作者は、予め、入金取引毎に紙幣をグループ分けしておく。その後、操作者は、ボタン８１３を操作する。紙幣の画像８１２ａに対する金種、刷種およびグループの対応付けが確定し、領域８１２に次の紙幣の画像８１２ａが表示される。同様な操作が繰り返されて、全ての紙幣の画像８１２ａに対して金種、刷種およびグループが対応付けられる。ボタン８１４が操作されると紙幣のサンプル画像が入金処理画面８１０上に重なるように表示される。操作者は、サンプル画像を参照しながら操作を行うことができる。
【０１６４】
ボタン８１３が操作されると、制御部４５０は、図１４（ｂ）に示す、入力確認画面８２０を操作表示部４１０に表示させる。
【０１６５】
入力確認画面８２０には、３つの領域８２１、８２２、８２３に、図１２（ａ）の入力確認画面６４０の３つの領域６４１、６４２、６４３と同様の画像が表示される。また、入力確認画面８２０には、領域８２１の下の領域８２４に、グループ別の紙幣の枚数および合計金額が表示される。さらに、領域８２２には、入金処理画面８１０での入力結果の画像８２２ａが表示される。入力結果の画像８２２ａは、紙幣の画像のサムネイル、刷種、金種およびグループが示された、全ての紙幣分の項目８２２ｂが、上下に配列されたものである。入力結果の画像８２２ａは、ボタン８２２ｃの操作により上下方向にスクロールさせることができ、表示されていない項目８２２ｂを表示させることができる。さらに、入力確認画面８２０には、完了操作のためのボタン８２５が含まれる。
【０１６６】
ボタン８２５が操作されると、制御部４５０は、各紙幣の画像８１２ａとその画像８１２ａに設定された刷種、金種およびグループとを対応付けて記憶部４６０に記憶させる。この際、これら情報には処理番号が付される。
【０１６７】
こうして、先読取入金処理が完了する。
【０１６８】
正常な紙幣がバラ紙幣処理装置２へ入金される際、図１４（ｃ）に示す入金操作画面８３０が操作表示部４１０に表示される。入金操作画面８３０に設けられたボタン８３１が操作されると、対応付け処理が開始される。
【０１６９】
制御部４５０は、操作表示部４１０に、入金操作画面８３０に重なるようにウィンドウ８４０を表示させる。ウィンドウ８４０には、上下に並ぶ複数の項目８４１ａにより構成される先読取リスト８４１が表示される。各項目８４１ａには、処理番号、グループ、これら処理番号およびグループに属する紙幣の合計金額が示されている。これら項目８４１ａは、先読取入金処理で入金された入金取引毎の紙幣の在高に対応するものである。また、ウィンドウ８４０には、先読取リスト８４１を上下方向にスクロールさせるためのボタン８４２と、確定操作のためのボタン８４３とが含まれる。
【０１７０】
操作者は、先読取リスト８４１の項目８４１ａの中から、現在、バラ紙幣処理装置２へ入金している正常な紙幣と同じ入金取引に含まれる特殊な紙幣に対応する項目８４１ａを選択して、ボタン８４３を操作する。
【０１７１】
制御部４５０は、選択された項目８４１ａに対応する特殊な紙幣に係る在高（金種、枚数等）を、正常な紙幣に係る在高（金種、枚数等）に対応付けられる通番と同じ通番に対応付けて、記憶部４６０の機内在高データベース４６１に記憶させる。これにより、機内在高データベース４６１内において、同じ入金取引に含まれる特殊な紙幣に係る在高と正常な紙幣に係る在高とが対応付けられた状態となる。
【０１７２】
こうして、対応付け処理が完了する。
【０１７３】
以上、本変更例によれば、先読取入金機能における先読取入金処理において、複数の入金取引に含まれる紙幣（硬貨）をまとめて有価媒体処理装置６（特殊硬貨処理装置７）に入金できるので、入金業務の効率化を図ることが可能となる。
【０１７４】
なお、上記実施形態の後読取入金機能の場合と同様、締め処理が開始されたタイミング等、所定のタイミングにおいて、先読取入金処理により入金は行われたが対応付け処理が行われていない紙幣（硬貨）が存在する場合、警告報知が行われるようにしてもよい。
【０１７５】
＜その他の変更例＞
上記実施形態の警告報知処理において、通知画面７２０上にボタンが配置され、このボタンが操作されると、後読取入金処理が開始され、操作表示部４１０にセット要求画面６２０が表示されるようにしてもよい。また、警告報知処理において、所定の権限を有する操作者が、警告ウィンドウ７１０等において承認操作を行った場合に、締め処理が中止されず、継続されるようにしてもよい。
【０１７６】
また、上記実施形態において、情報入力処理の際に、そのときにログインされている操作者ＩＤが紙幣の入金および枚数の情報に対応付けされるようにし、後読取入金処理が開始されたとき、そのときにログインされている操作者ＩＤに一致する操作者ＩＤに対応付けられた、未入金の損券等の紙幣に係る情報（通番、金種、枚数等）が操作表示部４１０にリストアップされるようにしてもよい。
【０１７７】
また、上記実施形態において、データサーチ機能により、後読取入金処理による入金が行われていない損券等の紙幣が検索されるようにし、その検索結果の画面上での操作により、後読取入金処理が開始されるようにしてもよい。この場合、検索結果には通番が含まれることになるため、入金処理画面６３０上で通番が自動入力されるようにするとよい。
【０１７８】
また、上記実施形態において、情報入力処理で発行されるジャーナル５５０に、通番に対応するバーコードまたはＱＲコード（登録商標）が印字されるようにし、後読取入力処理の際に、コードリーダでこれらコードが読み取られ、これらコードに基づいて、損券等の紙幣に係る金種および枚数の情報が、手持ち在高データベース４６２から読み出されるようにしてもよい。
【０１７９】
また、上記実施形態では、操作端末８は、タッチパネルを備える操作表示部４１０を備えた。しかしながら、操作端末８に、操作表示部４１０に替えて、ディスプレイ、キーボードおよびマウスが備えられてもよい。
【０１８０】
また、上記実施形態では、読取部１３０により紙幣の表面が撮像され、表面の画像が入金処理画面６３０に配置された。しかしながら、読取部１３０により紙幣の表面および裏面が撮像され、それら表面および裏面の画像が入金処理画面６３０に表示されるとともに、貨幣情報に紐付けて記憶されるようにしてもよい。
【０１８１】
また、上記実施形態では、操作表示部４１０が有価媒体処理装置６と別体であり、操作端末８の制御部４５０により図７および図１０の処理が行われた。しかしながら、操作表示部４１０が有価媒体処理装置６に一体的に設けられ、図７および図１０の処理が、有価媒体処理装置６側の制御部２１０によって行われてもよい。この構成では、有価媒体処理装置６が、特許請求の範囲に記載の「貨幣処理装置」に対応する。
【０１８２】
この場合、有価媒体処理装置６は、たとえば、図１５のように構成される。有価媒体処理装置６は、ディスプレイ２４１およびタッチセンサ２４２からなる操作表示部２４０を備える。記憶部２２０は、図６に示した機内在高データベース４６１および手持ち在高データベース４６２と同様の機内在高データベース２２１および手持ち在高データベース２２２を保持する。
【０１８３】
制御部２１０は、図８（ａ）〜図９（ｃ）の画面を操作表示部２４０に表示させながら、図７の処理を実行し、図１１（ａ）〜図１２（ｃ）の画面を操作表示部２４０に表示させながら、図１０の処理を実行する。なお、記憶部２２０に、機内在高データベース２２１および手持ち在高データベース２２２が保持されず、操作端末８側に機内在高データベース４６１および手持ち在高データベース４６２が保持されたままとされ、図７および図１０の処理の結果、金種、枚数等の情報が操作端末８に送信されて、それらデータベース４６１、４６２に記憶されてもよい。
【０１８４】
同様に、操作表示部４１０が特殊硬貨処理装置７に一体的に設けられ、図７の処理および図１０の処理と同様な処理が、特殊硬貨処理装置７側の制御部３６０によって行われてもよい。この構成では、特殊硬貨処理装置７が、特許請求の範囲に記載の「貨幣処理装置」に対応する。
【０１８５】
また、上記実施形態の構成において、図７および図１０の処理が、有価媒体処理装置６側の制御部２１０によって行われてもよい。この場合、操作端末８の操作表示部４１０は、単に、画面の表示および操作入力の受け付けのために用いられる。この場合も、有価媒体処理装置６の記憶部２２０には、図１５の場合と同様、機内在高データベース２２１および手持ち在高データベース２２２が保持される。この他、図７および図１０の処理が、有価媒体処理装置６側の制御部２１０と操作端末８側の制御部４５０との共同動作により行われてもよい。同様に、図７の処理および図１０の処理と同様な処理が、特殊硬貨処理装置７側の制御部３６０によって行われてもよく、特殊硬貨処理装置７側の制御部３６０と操作端末８側の制御部４５０との共同動作により行われてもよい。
【０１８６】
さらに、上記実施形態において、特殊硬貨処理装置７に、特殊な硬貨として、外国硬貨を入金できてもよい。また、特殊硬貨および特殊紙幣に限らず、通常の硬貨および紙幣を処理する貨幣処理装置および貨幣処理装置を含む貨幣処理システムに本発明が適用されてもよい。
【０１８７】
また、上記実施形態では、貨幣処理システム１が、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える構成とされた。しかしながら、本発明は、操作端末８と特殊硬貨処理装置７のみで構成されるなど、少なくとも操作端末８と特殊硬貨処理装置７が含まれる構成の貨幣処理システムに適用でき、また、操作端末８と有価媒体処理装置６のみで構成されるなど、少なくとも操作端末８と有価媒体処理装置６が含まれる構成の貨幣処理システムに適用できる。
【０１８８】
この他、本発明の実施形態は、特許請求の範囲に記載の範囲で適宜変更可能である。
【符号の説明】
【０１８９】
１  貨幣処理システム
２  バラ紙幣処理装置（第２貨幣処理装置）
４  バラ硬貨処理装置（第２貨幣処理装置）
６  有価媒体処理装置（貨幣処理装置、第１貨幣処理装置）
７  特殊硬貨処理装置（貨幣処理装置、第１貨幣処理装置）
８  操作端末
１３０  読取部（撮像部）
１６０  第１損券収納部（収納部）
１７０  第２損券収納部（収納部）
３１２  損貨箱（収納部）
３１３  記念貨箱（収納部）
３２０  撮像部
４１０  操作表示部（報知部）
４２０  プリンタ（印字部）
４５０  制御部
４６０  記憶部
【図１】
2019215833.tif 000003
【図２】
2019215833.tif 000004
【図３】
2019215833.tif 000005
【図４】
2019215833.tif 000006
【図５】
2019215833.tif 000007
【図６】
2019215833.tif 000008
【図７】
2019215833.tif 000009
【図８】
2019215833.tif 000010
【図９】
2019215833.tif 000011
【図１０】
2019215833.tif 000012
【図１１】
2019215833.tif 000013
【図１２】
2019215833.tif 000014
【図１３】
2019215833.tif 000015
【図１４】
2019215833.tif 000016
【図１５】
2019215833.tif 000017